【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
シートを給送する給送部と、
前記給送部によって給送されたシートに転写される画像を形成する画像形成部と、
前記画像形成部によって形成された画像をシートに転写する転写部と、
前記給送部により給送されたシートを所定位置で停止させ、前記画像形成部によって形成された画像が、一旦停止したシートに転写されるように前記転写部に該シートを搬送する搬送部と、
給送するシートの種類を判別する種類判別部と、
前記給送部を制御する制御部であって、前記搬送部によるシートの停止時間がシートの種類に応じて変更されるように、前記給送部がシートを前記搬送部へ向けて給送し始めるシートの給送開始のタイミングを前記種類判別部によって判別されたシートの種類に基づいて変更する制御部と、
を有することを特徴とする画像形成装置。
【請求項２】
前記シートの給送開始のタイミングは、第１のタイミングと、前記第１のタイミングより給送開始が遅い第２のタイミングを有することを特徴とする請求項１記載の画像形成装置。
【請求項３】
前記種類判別部は、給送するシートが少なくとも普通紙を含む第１種シートか、少なくともコート紙を含む第２種シートかを判別し、
前記制御部は、前記シートが前記第１種シートの場合は前記第１のタイミングで給送し、前記第２種シートの場合は前記第２のタイミングで給送することを特徴とする請求項２記載の画像形成装置。
【請求項４】
前記種類判別部は、給送するシートが少なくとも普通紙を含む第１種シートか、少なくともコート紙を含む第２種シートかを判別し、
前記制御部は、画像形成間隔が所定間隔より長くなったときは、給送するシートが前記第２種シートの場合は前記第２のタイミングで給送することを特徴とする請求項２記載の画像形成装置。
【請求項５】
前記種類判別部は、給送するシートが少なくとも普通紙を含む第１種シートか、少なくともコート紙を含む第２種シートかを判別し、
前記制御部は、給送するシートが前記第２種シートの場合は、画像形成間隔が所定間隔以下のときは前記第１のタイミングで給送し、画像形成間隔が所定間隔よりも長くなったときは前記第２のタイミングで給送することを特徴とする請求項２記載の画像形成装置。
【請求項６】
前記第１のタイミングは、前記画像形成部による画像形成開始に先立って、その画像が形成されるシートの給送を開始するものであり、
前記第２のタイミングは、前記画像形成部による画像形成に伴って、その画像が形成されるシートの給送を開始することを特徴とする請求項２乃至請求項５のいずれか一項に記載の画像形成装置。
【請求項７】
シートを前記第２のタイミングで給送したときは、前記第１のタイミングで給送したときよりも前記搬送部により停止している時間が短いことを特徴とする請求項２乃至請求項６のいずれか一項に記載の画像形成装置。
【請求項８】
前記種類判別部は、給送するシートが少なくとも普通紙を含む第１種シートか、少なくともコート紙を含む第２種シートかを判別し、
前記制御部は、
前記種類判別部が前記第１種シートであると判断した場合には、前記画像形成部による画像形成開始に先立って、その画像が転写されるシートの給送を開始し、
前記種類判別部が前記第２種シートであると判断した場合には、前記画像形成部による画像形成に伴って、その画像が転写されるシートの給送を開始することを特徴とする請求項１乃至請求項７のいずれか一項に記載の画像形成装置。
【請求項９】
前記制御部は、
画像形成間隔が所定間隔の場合には、シートの種類にかかわらずに前記給送部によるシートの給送開始のタイミングを変更せず、
画像形成間隔が所定間隔よりも長くなった場合には、前記種類判別部で判別されたシートの種類に基づいて、前記シートの給送開始のタイミングを変更し、それによって前記搬送部によるシート停止時間を変わることを特徴とする請求項１記載の画像形成装置。
【請求項１０】
シートを給送する給送部と、
前記給送部によって順次給送されるシートに形成される画像を、所定間隔毎に形成する画像形成部と、
前記画像形成部によって形成された画像をシートに転写する転写部と、
前記給送部により給送されたシートを所定位置で停止させ、前記画像形成部が形成した画像が一旦停止したシートに転写されるように前記転写部に該シートを搬送する搬送部と、
給送するシートが少なくとも普通紙を含む第１種シートか、少なくともコート紙を含む第２種シートかを判別する種類判別部と、
を有し、
前記画像形成部の画像形成の間隔が前記所定間隔の場合であって、且つ、給送されるシートが前記第１種シートであると前記種類判別部が判別した場合には、前記搬送部がシートを停止させる時間は、第１時間であり、
前記画像形成部の画像形成の間隔が前記所定間隔を超えた場合であって、且つ、給送されるシートが前記第１種シートであると前記種類判別部が判別した場合には、前記搬送部がシートを停止させる時間は、前記第１時間よりも長い第２時間であり、
前記画像形成部の画像形成の間隔が前記所定間隔を超えた場合であって、且つ、給送されるシートが前記第２種シートであると前記種類判別部が判別した場合には、前記搬送部がシートを停止させる時間は、前記第２時間よりも短い時間であることを特徴とする画像形成装置。
【請求項１１】
前記搬送部はレジストレーションローラを含み、
前記搬送部は、シートの斜行を補正するために前記レジストレーションローラにシートの先端が突き当った状態でシートを停止させることを特徴とする請求項１乃至請求項１０のいずれか一項に記載の画像形成装置。
【請求項１２】
シートの種類を入力可能な入力部を有し、
前記種類判別部は、前記入力部からの入力に基づいてシートの種類を判別することを特徴とする請求項１乃至請求項１１のいずれか一項に記載の画像形成装置。
【請求項１３】
前記種類判別部が判別したシートの種類が第１タイプである場合には、前記給送部がシートの給送をし始めるシートの給送の開始タイミングは、そのシートに転写される画像を前記画像形成部が形成し始める時期よりも所定時間早いタイミングであり、
前記種類判別部が判別したシートの種類が第２タイプである場合には、前記給送部がシートの給送をし始めるシートの給送の開始タイミングと、そのシートに転写される画像を前記画像形成部が形成し始める時期との差が、前記所定時間よりも短いことを特徴とする請求項１記載の画像形成装置。
【請求項１４】
前記種類判別部が判別したシートの種類が第２タイプである場合には、前記給送部がシートの給送をし始めるシートの給送の開始タイミングと、そのシートに転写される画像を前記画像形成部が形成し始める時期とが同じであることを特徴とする請求項１３記載の画像形成装置。
【請求項１５】
前記第１タイプは、普通紙を含み、前記第２タイプは、コート紙を含むことを特徴とする請求項１３又は請求項１４に記載の画像形成装置。
【請求項１６】
前記画像形成部の画像形成の間隔が所定間隔の場合であって、且つ、給送されるシートが前記第１タイプであると前記種類判別部が判別した場合には、前記搬送部がシートを停止させる時間を第１時間、
前記画像形成部の画像形成の間隔が前記所定間隔を超えた場合であって、且つ、給送されるシートが前記第１タイプであると前記種類判別部が判別した場合には、前記搬送部がシートを停止させる時間を前記第１時間よりも長い第２時間とすると、
前記画像形成部の画像形成の間隔が前記所定間隔を超えた場合であって、且つ、給送されるシートが前記第２タイプであると前記種類判別部が判別した場合には、前記搬送部がシートを停止させる時間は、前記第２時間よりも短い第３時間であり、
前記画像形成部の画像形成の間隔が前記所定間隔を超えない場合であって、且つ、給送されるシートが前記第２タイプであると前記種類判別部が判別した場合には、前記搬送部がシートを停止させる時間は、前記第３時間よりも長い第４時間であることを特徴とする請求項１３乃至請求項１５のいずれか一項に記載の画像形成装置。
【請求項１７】
シートを給送する給送部と、
前記給送部によって給送されたシートに転写される画像を形成する画像形成部と、
前記画像形成部によって形成された画像をシートに転写する転写部と、
前記給送部により給送されたシートを所定位置で停止させ、前記画像形成部によって形成された画像が、一旦停止したシートに転写されるように前記転写部に該シートを搬送する搬送部と、
給送するシートの種類を判別する種類判別部と、
前記種類判別部によって判別されたシートの種類に基づいて、第１モードまたは第２モードを実行する制御部と、
を有し、
前記第１モードでは、前記給送部がシートを前記搬送部へ向けて給送し始めるシートの給送の開始タイミングは、そのシートに転写される画像を前記画像形成部が形成し始める時期よりも所定時間早いタイミングであり、
前記第２モードでは、前記シートの給送の開始タイミングと、そのシートに転写される画像を前記画像形成部が形成し始める時期との差が、前記所定時間よりも短く、
前記第２モードでの、前記搬送部によるシートの停止時間は、前記第１モードでの前記搬送部によるシートの停止時間よりも短い
ことを特徴とする画像形成装置。
【請求項１８】
前記制御部は、
前記種類判別部によって、給送されるシートが普通紙であると判別されたことに基づいて前記第１モードを実行し、
前記種類判別部によって、給送されるシートがコート紙であると判別されたことに基づいて前記第２モードを実行することを特徴とする請求項１７記載の画像形成装置。
【手続補正２】
【補正対象書類名】明細書
【補正対象項目名】０００９
【補正方法】変更
【補正の内容】
【０００９】
上記目的を達成するための本発明に係る代表的な構成は、シートを給送する給送部と、前記給送部によって給送されたシートに転写される画像を形成する画像形成部と、前記画像形成部によって形成された画像をシートに転写する転写部と、前記給送部により給送されたシートを所定位置で停止させ、前記画像形成部によって形成された画像が、一旦停止したシートに転写されるように前記転写部に該シートを搬送する搬送部と、給送するシートの種類を判別する種類判別部と、前記給送部を制御する制御部であって、前記搬送部によるシートの停止時間がシートの種類に応じて変更されるように、前記給送部がシートを前記搬送部へ向けて給送し始めるシートの給送開始のタイミングを前記種類判別部によって判別されたシートの種類に基づいて変更する制御部と、を有することを特徴とする。
【手続補正３】
【補正対象書類名】図面
【補正対象項目名】図４
【補正方法】変更
【補正の内容】
【図４】
2017219798.tif 000001